(57)【要約】【課題】折り畳み可能な六角筒形の卓上カレンダーであって、使用時に手間がかからず、卓上カレンダーの機能に加えて、筆記具その他の小物入れの機能も備え、置き場所にスペースをとらず、自立性にも優れ、製造に使用する部材数も少なく簡単に製造できる六角筒形卓上カレンダーを提供する。【解決手段】六角筒形卓上カレンダーを、表面にカレンダーが印刷された６面の側壁板 1〜6 と貼着片7 が縦方向の折り曲げ線を介して連設された側壁用ブランク板を筒状に貼着して外周壁を形成すると共に、その内側に、該筒状体の下部に底面を形成する底板19a,19b と内部を縦に二分割する仕切り板11a,11b と上部に枠状の縁部を形成する上部縁板13a,13b 及び上下の貼着片がそれぞれ折り曲げ線を介して連設された中仕切り用ブランク板を、その必要個所を折り返し、貼着して構成する。【選択図】図３
2008006600.tif 000002
【特許請求の範囲】
【請求項１】
外周面にカレンダーが印刷され、折り畳み可能に形成された六角筒形の卓上カレンダーであって、該卓上カレンダーが、六角筒体を形成する側壁用ブランク板と、その内側に貼着され、六角筒体の内部を縦方向に二分割し、且つ、下部に上げ底式の底面を形成し、上部に枠状の縁部を形成する中仕切り用ブランク板とで形成され、該側壁用ブランク板は、６面の側壁板および貼着片を縦方向の折り曲げ線を介して順に連設すると共に、該側壁用ブランク板の両側端縁部を該貼着片で筒状に貼着して折り畳んだ時、両側の端部に位置する折り曲げ線のそれぞれの下部に、該中仕切り用ブランク板で形成される底面の位置を固定するスリット状の係止用孔を設けて形成され、該中仕切り用ブランク板は、その中間部に縦方向の折り曲げ線を介して連設され、該折り曲げ線で折り返して互いに重合貼着される２面の仕切り板を有し、それぞれの仕切り板の上部には、該六角筒体の上部内側に枠状の縁部を形成する外形が台形状の上部縁板と貼着片とが横方向の折り曲げ線を介して順に連設され、それぞれの仕切り板の下部には、該六角筒体の下部内側に上げ底式の底面を形成する逆台形状の底板と貼着片とが横方向の折り曲げ線を介して順に連設され、更に、それぞれの底板の両側部には、斜め方向の折り曲げ線を介して三角形状のバネ板が連設され、前記２面の仕切り板のうち、一方の仕切り板の下部の両側には、前記スリット状の係止用孔に嵌合する係止用突起が設けられて形成されていることを特徴とする六角筒形卓上カレンダー。
【請求項２】
前記カレンダーが、前記六角筒体の各側壁板に二ヶ月分ずつ印刷されていることを特徴とする請求項１記載の六角筒形卓上カレンダー。
【発明の詳細な説明】
【技術分野】
【０００１】
本発明は、六角筒形卓上カレンダーに関し、更に詳しくは、折り畳みが可能で卓上カレンダーとしての機能に加えて、筆記具その他の小物入れとしての機能も備え、使い勝手がよく、製造が容易で経済性にも優れた六角筒形卓上カレンダーに関する。
【背景技術】
【０００２】
従来、卓上カレンダーとしては、例えば、月単位で印刷されたカード状などの枚葉のカレンダーを一年分（１２枚）まとめて脚付きの掲示用ケースなどに収納し、斜めに立てて使用する形式のものが多用されている（例えば、特許文献１参照）。
【０００３】
このような卓上カレンダーは、カレンダー機能に関しては比較的見やすく、概ね良好に使用できるが、使い勝手などの細部については、以下のような問題があった。
（１）机や棚などの上に他のものと混在して置いた場合、意外にスペースをとり、また、脚部による自立安定性が十分でないため、比較的倒れやすいという問題があった。
（２）月が変わるたびに、古いカレンダーを剥ぎ取りまたは差し替える必要があるため、手間がかかり、また、前後の月の暦を見ることができない問題があった。
（３）月毎の暦の他に写真や絵柄などを印刷して、見る人の気分を和ますことはできるが、カレンダー以外の別の機能を付加することは難しく、狭いスペースの有効利用の点では問題があった。
【０００４】
このような問題点を解決できるものとして、例えば、筆立を、厚紙で折り畳み自在な６角筒体に形成して、その外周にカレンダー等の印刷を可能とし、その底部に折り曲げ可能な底板を取り付けて構成し、また、その筆立内に、３枚の支持板を放射状に連結してなる支柱部材を挿入して筆立内を３分割すると共に安定した状態で起立し得るように構成した筆立が提案されている（特許文献２参照）。
【特許文献１】特開２０００−１２７６５０号公報（第２頁〜第４頁、図３〜図５）
【特許文献２】登録実用新案公報第３０５９５９７号（第２頁、図１〜図６）
【０００５】
前記特許文献２に記載された考案の筆立によれば、その外周にカレンダー等の印刷を施すことにより、簡易形式の筆立て機能に加えて、カレンダーの機能を付加することができ、前述のような卓上カレンダーにおける問題点の多くを解決することができる。
しかし、このようなカレンダー付き筆立でも、前記支持部材を加えた完成品を製造するためには、６角筒体を形成するブランク板と底板用ブランク板と支持部材用ブランク板の三つのブランク板を用意し、６角筒体を形成するブランク板と底板用ブランク板とを折り畳み可能に貼り合わせると共に、支持部材に関しても、３枚の支持板を放射状に連結して作製する必要があり、更に、その支持部材の筆立本体への組付けは使用者が行う必要があるなど、部材数が多く、製造工程も多いため、製造コストが高くなる問題があった。
【発明の開示】
【発明が解決しようとする課題】
【０００６】
本発明は、このような問題点を解決するためになされたものであり、その課題は、簡単な操作で折り畳まれた六角筒形卓上カレンダーを起こして使用することができると共に、卓上カレンダーとしての機能に加えて、筆記具その他の小物入れとしての機能も備え、置き場所にもスペースをとらず、安定した自立性を有し、更に、製造に使用する部材数も少なく、製造工程を簡略化でき、多機能で生産性および経済性に優れた六角筒形卓上カレンダーを提供することである。
【課題を解決するための手段】
【０００７】
上記の課題は、以下の本発明により解決することができる。
即ち、請求項１に記載した発明は、外周面にカレンダーが印刷され、折り畳み可能に形成された六角筒形の卓上カレンダーであって、該卓上カレンダーが、六角筒体を形成する側壁用ブランク板と、その内側に貼着され、六角筒体の内部を縦方向に二分割し、且つ、下部に上げ底式の底面を形成し、上部に枠状の縁部を形成する中仕切り用ブランク板とで形成され、該側壁用ブランク板は、６面の側壁板および貼着片を縦方向の折り曲げ線を介して順に連設すると共に、該側壁用ブランク板の両側端縁部を該貼着片で筒状に貼着して折り畳んだ時、両側の端部に位置する折り曲げ線のそれぞれの下部に、該中仕切り用ブランク板で形成される底面の位置を固定するスリット状の係止用孔を設けて形成され、該中仕切り用ブランク板は、その中間部に縦方向の折り曲げ線を介して連設され、該折り曲げ線で折り返して互いに重合貼着される２面の仕切り板を有し、それぞれの仕切り板の上部には、該六角筒体の上部内側に枠状の縁部を形成する外形が台形状の上部縁板と貼着片とが横方向の折り曲げ線を介して順に連設され、それぞれの仕切り板の下部には、該六角筒体の下部内側に上げ底式の底面を形成する逆台形状の底板と貼着片とが横方向の折り曲げ線を介して順に連設され、更に、それぞれの底板の両側部には、斜め方向の折り曲げ線を介して三角形状のバネ板が連設され、前記２面の仕切り板のうち、一方の仕切り板の下部の両側には、前記スリット状の係止用孔に嵌合する係止用突起が設けられて形成されていることを特徴とする六角筒形卓上カレンダーからなる。
【０００８】
本発明において、前記六角筒体の外周面には、少なくともカレンダーが印刷されるが、その他に意匠性を高めるための絵柄、あるいは広告、六角筒体の使用方法などを適宜追加して印刷することができる。
また、印刷されるカレンダー自体は、通常は月別の一年分であるが、特に限定はされず、半年分を各側壁板に割り振って印刷してもよく、また、上下二段に分けて二年分を印刷してもよい。
【０００９】
また、請求項２に記載した発明は、前記カレンダーが、前記六角筒体の各側壁板に二ヶ月分ずつ印刷されていることを特徴とする請求項１記載の六角筒形卓上カレンダーからなる。
【発明の効果】
【００１０】
請求項１に記載した発明によれば、六角筒形卓上カレンダーを前記のように構成しているので、以下に列挙するような作用効果が得られる。
（１）六角筒形卓上カレンダーを、外周面にカレンダーが印刷された六角筒体を形成する側壁用ブランク板と、その内側に貼着され、六角筒体の内部を縦方向に二分割し、且つ、下部に上げ底式の底面を形成し、上部に枠状の縁部を形成する中仕切り用ブランク板とで形成しているので、例えば、折り畳み函の製函と同様に製函機を利用して、側壁用ブランク板と中仕切り用ブランク板とを、適宜に各折り曲げ線をクセ折りまたは折り返して必要個所を貼り合わせて製造することができる。従って、高速での大量生産を容易に行えると同時に、製造された六角筒形卓上カレンダーは偏平に折り畳まれているので、嵩張らず、保管や輸送を効率的に行うことができる。
尚、前記クセ折りは、折り曲げ線を一旦折り曲げた後、元に戻す操作のことで、その後に折り曲げ線を折り曲げる際の抵抗力を小さくするために行うものである。
（２）六角筒形卓上カレンダーを使用する際には、手で簡単に折り畳まれた六角筒形卓上カレンダーを起こして、中仕切り用ブランク板に設けられた係止用突起を側壁用ブランク板に設けられたスリット状の係止用孔に嵌合させて六角筒形卓上カレンダーを六角筒形に固定することができる。また、このような六角筒形卓上カレンダーは、立てて使用されるので置き場所のスペースも少なくできる。
（３）六角筒形に固定された六角筒形卓上カレンダーは、内部が前記仕切り板で縦方向に二分割されると共に、下部に前記底板と下側貼着片により上げ底式の底面が形成され、また、上部内側には前記上部縁板と上側貼着片により枠状の縁部が形成されるので、六角筒形の容器のような形状となり、この部分を筆記具やハサミ、カッターナイフなどの文具、あるいは眼鏡、各種の受領証など小物類の収納用に利用することができ、六角筒形卓上カレンダーの付加価値を高めることができる。
また、六角筒形卓上カレンダーの内部は、前記のように仕切り板で縦方向に二分割され、且つ、上部には枠状の縁部が設けられているので、筆記具などの細長いものを入れてもそれほど傾くことがなく、六角筒形卓上カレンダーの自立性を安定したものにすることができる。
（４）六角筒形卓上カレンダーを使用後、廃棄する際にも、手で簡単に折り畳めるので嵩張らず廃棄処理も容易に行うことができる。
【００１１】
請求項２に記載した発明によれば、請求項１に記載した発明の六角筒形卓上カレンダーの構成において、前記カレンダーが、前記六角筒体の各側壁板に二ヵ月分ずつ印刷された構成としているので、請求項１に記載した発明の作用効果に加えて、例えば、６面の側壁板に順送りに二ヵ月分のカレンダーを印刷することにより、一年分のカレンダーをピッタリと割り振って印刷することができ、見やすく使い勝手のよい六角筒形卓上カレンダーを提供することができる。
【発明を実施するための最良の形態】
【００１２】
本発明の六角筒形卓上カレンダーは、前記六角筒形の側壁を形成する側壁用ブランク板と、前記中仕切り用ブランク板とで形成されるものであり、それぞれのブランク板の材料には、板紙単体のほか、板紙と薄紙またはプラスチックフィルムまたはアルミニウム箔などの金属箔とを貼り合わせた複合紙、あるいはプラスチックシートなどを使用することができる。
【００１３】
前記板紙としては、コートカード紙や、コートアイボリー、特殊板紙（古紙を全く使用しないか、極僅かしか使用しない紙）のほか、コートマニラボール、コートボールなどを使用することができる。
これらの板紙は、米坪量が２３０ｇ／ｍ2 〜５５０ｇ／ｍ2 の範囲のものが好ましい。米坪量が２３０ｇ／ｍ2 未満では、剛性が不足するため六角筒体とした時の強度が不十分で変形しやすくなるため好ましくない。また、米坪量が５５０ｇ／ｍ2 を超える場合は、既に十分な剛性を有しておりその必要性がなく、むしろ折り曲げ部に亀裂を生じやすなり、材料コストの面でも不利となるため好ましくない。
【００１４】
板紙と薄紙とを貼り合わせた複合紙を使用する場合、薄紙としては、コート紙、アート紙、キャストコート紙などの洋紙のほか、和紙なども使用することができる。
板紙とプラスチックフィルムとを貼り合わせた複合紙を使用する場合、プラスチックフィルムとしては、ポリプロピレンフィルム、ポリエステルフィルム、ポリスチレンフィルムのほか、トリアセチルセルロースフィルム、セロハンなども使用することができる。
これらのプラスチックフィルムは単体の透明フィルムのほか、意匠性を高めるためにアルミニウムなどの金属を蒸着した金属蒸着フィルムを使用することもできる。
前記透明フィルムを使用する場合、カレンダー等の印刷は、透明フィルムの裏面に施すことが好ましいが、透明フィルムの表面に施してもよく、更に、両面にデザイン別などに施してもよい。
【００１５】
板紙と金属箔とを貼り合わせた複合紙を使用する場合、金属箔としては、アルミニウム箔のほかに銅箔なども使用できるが、コスト面を考慮するとアルミニウム箔を使用することが適当である。
前記ブランク板の材料にプラスチックシートを使用する場合、そのプラスチックシートとしては、ポリエステルシート、ポリスチレン系樹脂シート、ポリカーボネートシートなどを使用することができる。
【００１６】
以下、図面を用いて本発明を具体的に説明する。
図１は、本発明の六角筒形卓上カレンダーに用いる側壁用ブランク板の一実施例の構成を示す平面図である。
図２は、本発明の六角筒形卓上カレンダーに用いる中仕切り用ブランク板の一実施例の構成を示す平面図である。
図３は、本発明の六角筒形卓上カレンダーの一実施例の構成を示す図で、（イ）はその正面図、（ロ）は（イ）のＡ−Ａ線断面図である。尚、図３に示した六角筒形卓上カレンダーは、図１に示した構成の側壁用ブランク板と、図２に示した構成の中仕切り用ブランク板とを用いて作製したものである。
図４は、図３に示した六角筒形卓上カレンダーの平面図である。
但し、本発明は、その要旨を超えない限りこれらの図面に限定されるものではない。
【００１７】
図１に示した側壁用ブランク板５０は、６面の縦長長方形の側壁板１〜６を縦方向の折り曲げ線８b 〜８f を介して順に連設すると共に、その一方の端部（図では左側の端部）に、縦方向の折り曲げ線８a を介して貼着片７を連設し、更に、該側壁用ブランク板５０の両側を、縦方向の折り曲げ線８c と折り曲げ線８f とで内側（裏面側）に折り返して重なり合う貼着片７と側壁板６の端縁部とを貼り合わせて筒状の側壁とした時、両側の端部に位置する折り曲げ線８c と折り曲げ線８f のそれぞれの下部に、詳しくは次の図２に示した中仕切り用ブランク板６０でも説明するが、中仕切り用ブランク板６０の中間部に設けられた２面の仕切り板１１a 、１１b のうち、一方の仕切り板１１a の下部の両側に設けた係止用突起１８a 、１８b と嵌合して、該中仕切り用ブランク板の底板１９a 、１９b で形成される底面の位置を固定するスリット状の係止用孔９a または係止用孔９b を設けて構成したものである。
尚、図には示していないが、側壁用ブランク板５０の表面（外側となる面）には、少なくともカレンダーが印刷されるものである。
【００１８】
図２に示した中仕切り用ブランク板６０は、その中間部に縦方向の折り曲げ線１２を介してその両側に２面の仕切り板１１a 、１１b を連設し、それぞれの仕切り板１１a 、１１b の上部には、横方向の折り曲げ線１５a または折り曲げ線１５b を介して外形が台形状で、 且つ、その内側が台形状の切り欠き部１４a 、１４b で切り欠かれた上部縁板１３a 、１３b を連設し、更にそれぞれの上部に横方向の折り曲げ線１７a または折り曲げ線１７b を介して上側貼着片１６a または上側貼着片１６b を連設し、また、それぞれの仕切り板１１a 、１１b の下部には、それぞれ横方向の折り曲げ線２０a または折り曲げ線２０b を介して底板１９a または底板１９b を連設し、更にそれぞれの下部には、横方向の折り曲げ線２２a または折り曲げ線２２b を介して下側貼着片２１a または下側貼着片２１b を連設し、更に、前記底板１９a の両側部には斜め方向の折り曲げ線２４a または折り曲げ線２４b を介して三角形状のバネ板２３a またはバネ板２３b を連設し、前記底板１９b の両側部には斜め方向の折り曲げ線２４c または折り曲げ線２４d を介して三角形状のバネ板２３c またはバネ板２３d を連設し、また、前記２面の仕切り板１１a 、１１b のうち、一方の仕切り板１１a の下部の両側には、前記図１に示した側壁用ブランク板５０の下部の二箇所に設けたスリット状の係止用孔９a 、９b に嵌合する係止用突起１８a 、１８b を設けて構成したものである。
尚、上記中仕切り用ブランク板６０の構成において、特に、縦方向の折り曲げ線１２、および斜め方向の折り曲げ線２４a 〜２４d については、その折り曲げを一層容易にするため、筋押しと切り目線とを交互に配置したリード罫と呼ばれる折り曲げ線を用いることが好ましい。
【００１９】
前記図１に示した側壁用ブランク板５０と図２に示した中仕切り用ブランク板６０とを用いて本発明の六角筒形卓上カレンダーを作製する際には、先ず、中仕切り用ブランク板６０を、その中央部の縦方向の折り曲げ線１２で折り曲げて互いに重なり合う仕切り板１１a と仕切り板１１b とを接着剤で貼着する。
次いで、仕切り板１１a 、１１b の上部に連設された上部縁板１３a 、１３b および上側貼着片１６a 、１６b を、それぞれ横方向の折り曲げ線１５a 、１５b で外側下方に折り返して、仕切り板１１a 、１１b の中心を側壁用ブランク板５０の側壁板４の内側（裏面側）の中心に合わせ、また、仕切り板１１a 、１１b の下側は、下側貼着片２１a 、２１b の下端と側壁板４の下端とが一致するように位置合わせして、側壁用ブランク板５０の両側を折り曲げ線８c と折り曲げ線８f とで内側に折り返した時、中仕切り用ブランク板６０の上側貼着片１６a 、１６b および下側貼着片２１a 、２１b が、それぞれ側壁用ブランク板５０の内面と接する位置に接着剤で貼着し、また、側壁用ブランク板５０の両側端縁部は貼着片７の上に側壁板６の端縁部を重ね、その重なり合った部分を接着剤で貼着することにより偏平に折り畳まれた状態の六角筒形卓上カレンダーを作製することができる。
【００２０】
次に、図３は、本発明の六角筒形卓上カレンダーの一実施例の構成を示す図で、（イ）はその正面図、（ロ）は（イ）のＡ−Ａ線断面図である。
このような六角筒形卓上カレンダーは、図１に示した構成の側壁用ブランク板５０と、図２に示した構成の中仕切り用ブランク板６０とを用いて、上記のような方法で側壁用ブランク板５０の内側の面に、中仕切り用ブランク板６０を貼着して折り畳まれた状態の六角筒形卓上カレンダーを作製した後、例えば、その両側の端部を内側に向けて手で押すことにより、筒状に貼着された側壁板１〜６が六角筒形に起こされると同時に、その内部に折り畳まれて貼着された中仕切り用ブランク板６０も起こされて、上部縁板１３a 、１３b と底板１９a 、１９b とがそれぞれ両側に水平になるまで広がり、水平に広がった時点で、仕切り板１１a の両側の下部に設けられた係止用突起１８a 、１８b が、側壁板の折り曲げ線８c 、８f の下部に設けられたスリット状の係止用孔９a 、９b に嵌合して、底板１９a 、１９b と上部縁板１３a 、１３b とがそれぞれ水平に固定され、六角筒体の内側上部に六角形で枠状の縁部が形成され、また、六角筒体の内側下部に六角形で上げ底式の底面が形成されるものである。
【００２１】
即ち、図３の（イ）は、六角筒形に起こした卓上カレンダー１００をその側壁板１が中央に位置するように立てて置いた時の正面図で、両側端部の下部には、スリット状の係止用孔９a 、９b に嵌合した仕切り板１１a の両側下部に設けた係止用突起１８a 、１８b の先端が僅かに外側に突き出している。
また、図３の（ロ）に示したＡ−Ａ線断面図では、両側に側壁板１、４があり、その下部内側に、中仕切り用ブランク板６０の下側貼着片２１a 、２１b で貼着され、底板１９a 、１９b で上げ底式に形成された水平な底面を有し、両側の側壁板１、４の上部内側には、中仕切り用ブランク板６０の上側貼着片１６a 、１６b で貼着され、上部縁板１３a 、１３b で形成された枠状の縁部を有し、両側の側壁板１、４の中間部の前記水平な底面と枠状の縁部の間の部分には、中仕切り用ブランク板６０の仕切り板１１a と仕切り板１１b とを貼着して形成された垂直方向の仕切り板が設けられて、この部分が縦方向に二分割されている。
【００２２】
また、図４は、図３に示した六角筒形卓上カレンダー１００の平面図であり、図４に示した六角筒形卓上カレンダー１００は、周囲が側壁板１〜６により正六角形状に形成されており、その内側に上部縁板１３a 、１３b により正六角形の枠状の縁部が形成されており、その枠状の縁部の内側には、底板１９a 、１９b で形成された底面が見えており、また、上部縁板１３a と上部縁板１３b の間には、符号は付けていないが、仕切り板１１a 、１１b による垂直方向の仕切り板が設けられて構成されている。
【００２３】
以下に、実施例を挙げて本発明を更に具体的に説明する。
【実施例１】
【００２４】
図１に示した構成の側壁用ブランク板５０と、図２に示した構成の中仕切り用ブランク板６０とを用いて、図３、図４に示した構成の六角筒形卓上カレンダー１００を作製することとし、以下の材料と寸法で六角筒形卓上カレンダーを作製して実施例１の六角筒形卓上カレンダーとした。
（１）側壁用ブランク板５０と中仕切り用ブランク板６０の材料は共通とし、米坪量４００ｇ／ｍ2 のコートアイボリーを使用した。
（２）六角筒形卓上カレンダー１００の寸法
側壁用ブランク板５０の側壁板１〜６の寸法は同一とし、それぞれ縦が１５０ｍｍ、横が４５ｍｍとなるように形成した。
中仕切り用ブランク板６０に設けた上部縁板１３a 、１３b の幅は、平行部で１３ｍｍとなるように形成した。また、中仕切り用ブランク板６０の仕切り板１１a 、１１b は、縦が１０６ｍｍで、横が８７ｍｍとなるように形成した。
尚、側壁用ブランク板５０への印刷は、側壁板１〜６の各表面に二ヵ月分ずつの暦を順送りに割り振って印刷し、空きスペースにはそれぞれイラスト調絵柄を印刷した。
また、側壁板１〜６の各裏面および貼着片７の裏面にもグリーン色のベタ印刷を行い、更に、中仕切り用ブランク板６０の両面にも、仕切り板１１a 、１１b の貼着面および各貼着片の貼着面を除く部分に、側壁板の裏面と同じグリーン色のベタ印刷を行った。
【００２５】
以上のように作製した実施例１の六角筒形卓上カレンダーを机上に立てて置き、六角筒体の内部にボールペン、サインペンなどの筆記具と事務用ハサミとを仕切り板を隔てて差し込んだところ、大きく傾くこともなく安全に収納することができた。
上記筆記具およびハサミを収納した六角筒形卓上カレンダーは、重量が増すため、自立安定性もよく、また、置き場所のスペースも小さくてすみ、机上スペースの有効活用にも適していた。
また、六角筒体の表面に印刷された暦についても、必要な場合、回転させるだけで良好に見ることができ、更に、前後の月の暦も隣接した状態で見ることができるので便利であった。
【産業上の利用可能性】
【００２６】
本発明の六角筒形卓上カレンダーは、カレンダーとしての機能に加えて、筆記具その他の小物入れとしての機能も備えるものであり、卓上カレンダーとして便利に使用できることはもとより、六角筒体の内部に収納する小物類に関しては、任意であり、特に制限はない。
【図面の簡単な説明】
【００２７】
【図１】本発明の六角筒形卓上カレンダーに用いる側壁用ブランク板の一実施例の構成を示す平面図である。
【図２】本発明の六角筒形卓上カレンダーに用いる中仕切り用ブランク板の一実施例の構成を示す平面図である。
【図３】本発明の六角筒形卓上カレンダーの一実施例の構成を示す図で、（イ）はその正面図、（ロ）は（イ）のＡ−Ａ線断面図である。
【図４】図３に示した六角筒形卓上カレンダーの平面図である。
【符号の説明】
【００２８】
１、２、３、４、５、６  側壁板
７  貼着片
８a 、８b 、８ｃ、８ｄ、８ｅ、８ｆ  折り曲げ線
９a 、９b   係止用孔
１１a 、１１b   仕切り板
１２  折り曲げ線
１３a 、１３b   上部縁板
１４a 、１４b   切り欠き部
１５a 、１５b   折り曲げ線
１６a 、１６b   上側貼着片
１７a 、１７b   折り曲げ線
１８a 、１８b   係止用突起
１９a 、１９b   底板
２０a 、２０b   折り曲げ線
２１a 、２１b   下側貼着片
２２a 、２２b   折り曲げ線
２３a 、２３b 、２３c 、２３d   バネ板
２４a 、２４b 、２４c 、２４d   折り曲げ線
２５a 、２５b   切目線
５０  側壁用ブランク板
６０  中仕切り用ブランク板
１００  六角筒形卓上カレンダー
【図１】
2008006600.tif 000003
【図２】
2008006600.tif 000004
【図３】
2008006600.tif 000005
【図４】
2008006600.tif 000006